(57)【特許請求の範囲】
【請求項１】
携帯端末装置と情報処理装置とを備える検査システムであって、
前記携帯端末装置は、
第１の通信手段および第２の通信手段と、
第１のアンテナおよび第２のアンテナと、
信号の入力を受け付ける第１の入力手段と、
前記第２のアンテナと前記第２の通信手段との接続、および前記第２のアンテナと前記第１の入力手段との接続を切り替える第１の切替手段と、
前記第１の入力手段に入力される信号のレベルを検出する第１の検出手段と、
前記第１の検出手段の検出結果を前記情報処理装置に出力する第１の出力手段とを含み、
前記第２のアンテナは、前記第１の通信手段が前記第１のアンテナを介して送信した第１の信号を受信し、
前記第１の切替手段は、前記第２のアンテナと前記第１の入力手段とを接続することによって、前記第２のアンテナが受信した第１の信号を前記第１の入力手段に入力させ、
前記第１の検出手段は、前記第１の入力手段に入力された第１の信号のレベルを示す第１レベルを検出し、
前記第１の出力手段は、前記第１レベルを前記情報処理装置に出力し、
前記情報処理装置は、
前記第１レベルと予め定められた第１基準レベルとに基づいて、前記第１のアンテナおよび前記第２のアンテナの少なくとも一方に異常があるか否かを判定する判定手段と、
前記判定手段の判定結果を報知する報知手段とを含む、検査システム。
【請求項２】
前記第１基準レベルは、正常な複数の前記携帯端末装置から取得される第１レベルの平均値および標準偏差に基づいて定められる、請求項１に記載の検査システム。
【請求項３】
他の携帯端末装置をさらに備え、
前記他の携帯端末装置は、
第３の通信手段および第４の通信手段と、
正常な第３のアンテナと正常な第４のアンテナと、
信号の入力を受け付ける第２の入力手段と、
前記第４のアンテナと前記第４の通信手段との接続、および前記第４のアンテナと前記第２の入力手段との接続を切り替える第２の切替手段と、
前記第２の入力手段に入力される信号のレベルを検出する第２の検出手段と、
前記第２の検出手段の検出結果を前記情報処理装置に出力する第２の出力手段とを含み、
前記第４のアンテナは、前記第１の通信手段が前記第１のアンテナを介して送信した第１の信号を受信し、
前記第２の切替手段は、前記第４のアンテナと前記第２の入力手段とを接続することによって、前記第４のアンテナが受信した第１の信号を前記第２の入力手段に入力させ、
前記第２の検出手段は、前記第２の入力手段に入力された第１の信号のレベルを示す第２レベルを検出し、
前記第２の出力手段は、前記第２レベルを前記情報処理装置に出力し、
前記情報処理装置の前記判定手段は、前記第１レベルが前記第１基準レベル未満であり、かつ前記第２レベルが予め定められた第２基準レベル以上である場合に、前記第１のアンテナが正常であり、前記第２のアンテナが異常であると判定する、請求項１または２に記載の検査システム。
【請求項４】
前記第２のアンテナは、前記第３の通信手段が前記第３のアンテナを介して送信した第２の信号を受信し、
前記第１の切替手段は、前記第２のアンテナと前記第１の入力手段とを接続することにより、前記第２のアンテナが受信した第２の信号を前記第１の入力手段に入力させ、
前記第１の検出手段は、前記第１の入力手段に入力された第２の信号のレベルを示す第３レベルを検出し、
前記第１の出力手段は、前記第３レベルを前記情報処理装置に出力し、
前記情報処理装置の前記判定手段は、前記第１レベルが前記第１基準レベル未満であり、かつ前記第３レベルが予め定められた第３基準レベル以上である場合に、前記第１のアンテナが異常であり、前記第２のアンテナが正常であると判定する、請求項３に記載の検査システム。
【請求項５】
前記携帯端末装置は、
前記第１の通信手段と前記第１のアンテナとを接続し、かつ前記第１の切替手段と前記第２のアンテナとを接続する第１の接続パターンと、前記第１の通信手段と前記第２のアンテナとを接続し、かつ前記第１の切替手段と前記第１のアンテナとを接続する第２の接続パターンとを切り替える第３の切替手段をさらに含む、請求項１〜３のいずれか１項に記載の検査システム。
【発明の詳細な説明】
【技術分野】
【０００１】
本開示は、携帯端末装置と情報処理装置とを備える検査システムに関する。
【背景技術】
【０００２】
従来、携帯電話機などの携帯型の無線通信装置が広く普及している。このような無線通信端末では、生産工程や出荷後のメンテナンスにおいて、無線通信装置が有するアンテナの故障を検出する機会が増えている。
【０００３】
たとえば、特開２００４−１４６８６５号公報（特許文献１）は、周波数分割複信方式で無線通信を行なう無線通信装置を開示している。この無線通信装置は、送信信号を出力する送信部と、送信部から出力された送信信号を送信する第１のアンテナと、第１のアンテナで受信した信号を入力する受信部と、第１のアンテナを送信部および受信部で共用する共用器と、第１のアンテナと空間結合し、第１のアンテナから送信された送信信号を受信する空間結合手段と、空間結合手段が受信した信号を外部に出力する出力部と備える。
【先行技術文献】
【特許文献】
【０００４】
【特許文献１】特開２００４−１４６８６５号公報
【発明の概要】
【発明が解決しようとする課題】
【０００５】
しかしながら、特許文献１の構成によると、たとえば、無線通信装置に高周波測定器を接続する必要があり、また、高周波測定器を用いない場合であっても多数のスイッチ等を無線通信装置に設ける必要があるという問題がある。
【０００６】
本開示は、上記のような問題点を解決するためになされたものであって、ある局面における目的は、より簡易な構成で携帯端末装置のアンテナの異常を検出することが可能な検査システムを提供することを目的とする。
【課題を解決するための手段】
【０００７】
ある実施の形態に従うと、携帯端末装置と情報処理装置とを備える検査システムが提供される。携帯端末装置は、第１の通信手段および第２の通信手段と、第１のアンテナおよび第２のアンテナと、信号の入力を受け付ける第１の入力手段と、第２のアンテナと第２の通信手段との接続、および第２のアンテナと第１の入力手段との接続を切り替える第１の切替手段と、第１の入力手段に入力される信号のレベルを検出する第１の検出手段と、第１の検出手段の検出結果を情報処理装置に出力する第１の出力手段とを含む。第２のアンテナは、第１の通信手段が第１のアンテナを介して送信した第１の信号を受信する。第１の切替手段は、第２のアンテナと第１の入力手段とを接続することによって、第２のアンテナが受信した第１の信号を第１の入力手段に入力させる。第１の検出手段は、第１の入力手段に入力された第１の信号のレベルを示す第１レベルを検出する。第１の出力手段は、第１レベルを情報処理装置に出力する。情報処理装置は、第１レベルと予め定められた第１基準レベルとに基づいて、第１のアンテナおよび第２のアンテナの少なくとも一方に異常があるか否かを判定する判定手段と、判定手段の判定結果を報知する報知手段とを含む。
【発明の効果】
【０００８】
本開示によると、より簡易な構成で携帯端末装置のアンテナの異常を検出することが可能となる。
【図面の簡単な説明】
【０００９】
【図１】実施の形態１に従う検査システムの全体構成を示す図である。
【図２】端末のハードウェア構成を表わすブロック図である。
【図３】実施の形態１に従う無線通信部の構成を示す図である。
【図４】情報処理装置のハードウェア構成を示すブロック図である。
【図５】端末および情報処理装置の機能構成を説明するためのブロック図である。
【図６】実施の形態１に従う情報処理装置において行われる処理の流れを説明するためのフローチャート（その１）である。
【図７】実施の形態１に従う情報処理装置において行われる処理の流れを説明するためのフローチャート（その２）である。
【図８】実施の形態２に従う検査システムの全体構成を示す図である。
【図９】実施の形態２に従う無線通信部の構成を示す図である。
【図１０】実施の形態２に従う情報処理装置において行われる処理の流れを説明するためのフローチャート（その１）である。
【図１１】実施の形態２に従う情報処理装置において行われる処理の流れを説明するためのフローチャート（その２）である。
【発明を実施するための形態】
【００１０】
［実施の形態１］
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
＜システムの全体構成＞
図１は、実施の形態１に従う検査システム１０００の全体構成を示す図である。検査システム１０００は、携帯端末装置（以下、単に「端末」と称する。）１０Ａ，１０Ｂと、情報処理装置２０とを含む。以下の説明では、端末１０Ａが検査対象の端末（被検査端末）であり、端末１０Ｂが正常な端末であるとする。具体的には、検査システム１０００は、端末１０Ａのメインアンテナおよびサブアンテナを検査するためのシステムである。本実施の形態では、正常な端末とは、当該端末が有しているメインアンテナとサブアンテナとが異常ではない（故障していない）ことが既知である端末を意味する。なお、「アンテナの異常」とは、アンテナ自体の異常と当該アンテナと、当該アンテナの接続端子との接触異常とを含む概念である。ここで、端末１０Ａおよび端末１０Ｂ間の距離は、端末１０Ａのメインアンテナ５１Ａおよびサブアンテナ５２Ａ間の距離と、同等になるように配置される。これは、メインアンテナおよびサブアンテナ間の輻射経路の損失がほぼ同等になるようにするためである。
【００１２】
端末１０Ａ，１０Ｂは、たとえば、スマートフォンである。ただし、端末１０Ａ，１０Ｂは、タブレット端末装置、ＰＤＡ（Personal  Digital  Assistance）などであってもよい。端末１０Ａは、ケーブル６１を介して情報処理装置２０とを通信可能に接続され、端末１０Ｂは、ケーブル６２を介して情報処理装置２０と通信可能に接続される。
【００１３】
また、端末１０Ａは、メインアンテナ５１Ａとサブアンテナ５２Ａとを含む。端末１０Ｂは、メインアンテナ５１Ｂとサブアンテナ５２Ｂとを含む。詳細は後述するが、メインアンテナ５１Ａからの送信信号をサブアンテナ５２Ａで受信した場合、メインアンテナ５１Ａからの送信信号をサブアンテナ５２Ｂで受信した場合、およびメインアンテナ５１Ｂからの送信信号をサブアンテナ５２Ａで受信した場合の各々について、受信信号の信号レベルが検出される。この信号レベルを評価することにより、検査対象の端末１０Ａのメインアンテナ５１Ａおよびサブアンテナ５２Ａの異常の有無を判定することができる。
【００１４】
情報処理装置２０は、たとえば、ノートＰＣ（Personal  Computer）である。ただし、情報処理装置２０は、デスクトップＰＣ、タブレット端末装置などの機器であってもよい。情報処理装置２０は、端末１０Ａ，１０Ｂからの情報を用いて、端末１０Ａのメインアンテナ５１Ａおよびサブアンテナ５２Ａの異常の有無を判定する装置として機能する。
【００１５】
以下では、説明の容易化のために、端末１０Ａ，１０Ｂの各々に共通の構成や機能を説明する際には、それらを「端末１０」とも総称する。また、メインアンテナ５１Ａ，５１Ｂを「メインアンテナ５１」とも総称し、サブアンテナ５２Ａ，５２Ｂを「サブアンテナ５２」とも総称する。
【００１６】
＜ハードウェア構成＞
（端末）
図２は、端末１０のハードウェア構成を表わすブロック図である。図２を参照して、端末１０は、ＣＰＵ（Central  Processing  Unit）１５２と、メモリ１５４と、タッチパネル１５６と、ディスプレイ１５８と、無線通信部１６０と、メインアンテナ５１と、サブアンテナ５２と、メモリインターフェイス（Ｉ／Ｆ）１６４と、通信インターフェイス（Ｉ／Ｆ）１６６とを含む。
【００１７】
ＣＰＵ１５２は、メモリ１５４に記憶されたプログラムを読み出して実行することで、端末１０の各部の動作を制御する制御部として機能する。メモリ１５４は、ＲＡＭ（Random  Access  Memory）、ＲＯＭ（Read-Only  Memory）、フラッシュメモリなどによって実現される。メモリ１５４は、ＣＰＵ１５２によって実行されるプログラム、またはＣＰＵ１５２によって用いられるデータなどを記憶する。
【００１８】
タッチパネル１５６は、表示部としての機能を有するディスプレイ１５８上に設けられており、たとえば、静電容量方式タイプである。タッチパネル１５６は、所定時間毎に外部物体によるタッチパネル１５６へのタッチ操作を検知し、タッチ座標をＣＰＵ１５２に入力する。
【００１９】
無線通信部１６０は、メインアンテナ５１およびサブアンテナ５２に接続される。具体的には、無線通信部１６０は、図３のような構成を有する。図３は、実施の形態１に従う無線通信部１６０の構成を示す図である。図３を参照して、無線通信部１６０は、ベースバンド回路２０２と、ＲＦ（Radio Frequency）回路２０４と、メイン送受信回路２０６と、サブ受信回路２０８と、カプラ２１０と、接続端子２１２，２１４と、スイッチＳＷ１，ＳＷ２とを含む。
【００２０】
ベースバンド回路２０２は、送信するためのデータ（信号）からベースバンド信号を生成してＲＦ回路２０４に送出したり、ＲＦ回路２０４により送出されたベースバンド信号から元のデータ（信号）を取得する。
【００２１】
ＲＦ回路２０４は、ベースバンド回路２０２で処理される信号を直交変復調し、所要周波数でのアナログ信号（ＲＦ信号）に変換する。典型的には、メイン送受信回路２０６は、ＲＦ回路２０４で生成されたＲＦ信号を、メインアンテナ５１を介して電波として送出するレベルに増幅する。また、メイン送受信回路２０６は、メインアンテナ５１を介して受信した電波をＲＦ回路２０４で処理する周波数に振り分ける。サブ受信回路２０８は、サブアンテナ５２を介して受信した電波をＲＦ回路２０４で処理する周波数に振り分ける。
【００２２】
カプラ２１０は、メイン送受信回路２０６から出力される信号を、接続端子２１２側とスイッチＳＷ１側に分配する。接続端子２１２は、無線通信部１６０（カプラ２１０）とメインアンテナ５１とを接続するための端子である。接続端子２１４は、無線通信部１６０（スイッチＳＷ２）とサブアンテナ５２とを接続するための端子である。
【００２３】
スイッチＳＷ１は、ＣＰＵ１５２からの制御信号Ｓ１に従って、カプラ２１０とＲＦ回路２０４との間を接続したり（経路Ｍ１側に切り替える）、スイッチＳＷ２とＲＦ回路２０４との間を接続したりする（経路Ｍ２側に切り替える）。スイッチＳＷ２は、ＣＰＵ１５２からの制御信号Ｓ２に従って、接続端子２１４とＳＷ１との間を接続したり（経路Ｍ２側に切り替える）、接続端子２１４とサブ受信回路２０８との間を接続したりする。典型的には、スイッチＳＷ１，ＳＷ２は、サブアンテナ５２とＲＦ回路２０４とを接続することによって、サブアンテナ５２が受信した信号をＲＦ回路２０４に入力させる。
【００２４】
再び、図２を参照して、メモリインターフェイス１６４は、外部の記憶媒体１６５からデータを読み出す。ＣＰＵ１５２は、メモリ１５４からデータを読み出して、メモリインターフェイス１６４を介して当該データを外部の記憶媒体１６５に格納する。なお、記憶媒体１６５としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体が挙げられる。
【００２５】
通信インターフェイス（Ｉ／Ｆ）１６６は、端末１０と情報処理装置２０との間で各種データをやり取りすることが可能である。たとえば、通信インターフェイス１６６は、ケーブル６１，６２を接続するためのＵＳＢコネクタなどで構成される。なお、通信方式としては、たとえば、その他の有線通信であってもよい。また、端末１０は、ユーザからの指示を受け付けるボタン、端末１０に対する発話を受け付けるマイクを含んでもよい。
【００２６】
（情報処理装置）
図４は、情報処理装置２０のハードウェア構成を示すブロック図である。図４を参照して、情報処理装置２０は、ＣＰＵ３０２と、メモリ３０４と、入力装置３０６と、ディスプレイ３０８と、通信インターフェイス（Ｉ／Ｆ）３１０とを含む。
【００２７】
ＣＰＵ３０２は、メモリ３０４に記憶されたプログラムを読み出して実行することで、情報処理装置２０の各部の動作を制御する。メモリ３０４は、ＲＡＭ、ＲＯＭ、ハードディスクなどによって実現される。入力装置３０６は、情報処理装置２０に対する操作入力を受け付ける。入力装置３０６は、たとえば、キーボード、ボタン、マウス、タッチパネルなどによって実現される。
【００２８】
ディスプレイ３０８は、ＣＰＵ３０２からの信号に基づいて、表示画面に画像、テキスト、その他の情報を表示する。たとえば、ＣＰＵ３０２は、メインアンテナ５１Ａおよびサブアンテナ５２Ａの異常判定結果をディスプレイ３０８に表示する。
【００２９】
通信インターフェイス（Ｉ／Ｆ）３１０は、情報処理装置２０と端末１０Ａ，１０Ｂとの間で各種データをやり取りすることが可能である。たとえば、通信インターフェイス３１０は、ケーブル６１，６２を接続するためのＵＳＢコネクタなどで構成される。
【００３０】
＜機能構成＞
図５は、端末１０Ａ，１０Ｂおよび情報処理装置２０の機能構成を説明するためのブロック図である。図５における端末１０Ａの無線通信部１６０Ａおよび端末１０Ｂの無線通信部１６０Ｂの構成は、図３に示す無線通信部１６０の構成に対応する。以下の説明では、各無線通信部の構成を区別するため、無線通信部１６０Ａの構成には「Ａ」といった追加の符号を付し、無線通信部１６０Ｂの構成には「Ｂ」といった追加の符号を付している。同様に、端末１０ＡのＣＰＵ１５２Ａおよび端末１０ＢのＣＰＵ１５２Ｂは、図２に示すＣＰＵ１５２に対応している。
【００３１】
（端末）
端末１０Ａは、通信制御部４０２Ａと、切替制御部４０４Ａと、検出部４０６Ａと、レベル出力部４０８Ａとを含む。端末１０Ｂは、通信制御部４０２Ｂと、切替制御部４０４Ｂと、検出部４０６Ｂと、レベル出力部４０８Ｂとを含む。これらの機能は、主に、各端末のＣＰＵがメモリに格納されたプログラムを実行することなどによって実現される。なお、これらの構成の一部または全部はハードウェアで実現されていてもよい。
【００３２】
通信制御部４０２Ａは、メイン送受信回路２０６Ａおよびサブ受信回路２０８Ａを制御する。具体的には、通信制御部４０２Ａは、メイン送受信回路２０６Ａおよびサブ受信回路２０８Ａを起動したり（送信機能または受信機能を起動したり）、停止したりする。たとえば、通信制御部４０２Ａは、情報処理装置２０の指示に従って、これらの起動および停止を行なう。同様に、通信制御部４０２Ｂは、メイン送受信回路２０６Ｂおよびサブ受信回路２０８Ｂを制御する。
【００３３】
切替制御部４０４Ａは、スイッチＳＷ１Ａ，ＳＷ２Ａの切替動作を制御する。具体的には、切替制御部４０４Ａは、スイッチＳＷ１Ａに制御信号Ｓ１を出力することにより、カプラとＲＦ回路２０４Ａとを接続させたり、スイッチＳＷ２ＡとＲＦ回路２０４Ａとを接続させたりする。また、切替制御部４０４Ａは、スイッチＳＷ２Ａに制御信号Ｓ２を出力することにより、サブアンテナ５２ＡとＲＦ回路２０４Ａとを接続させたり、サブアンテナ５２Ａとサブ受信回路２０８Ａとを接続させたりする。たとえば、切替制御部４０４Ａは、情報処理装置２０の指示に従って、これらの切替動作を制御する。同様に、切替制御部４０４Ｂは、スイッチＳＷ１Ｂ，ＳＷ２Ｂの切替動作を制御する。
【００３４】
検出部４０６Ａは、ＲＦ回路２０４Ａに入力される信号のレベルを検出する。同様に、検出部４０６Ｂは、ＲＦ回路２０４Ｂに入力される信号のレベルを検出する。以下、検出部４０６Ａおよび検出部４０６Ｂで検出される信号のレベルについて具体的に説明する。
【００３５】
ある局面では、メイン送受信回路２０６Ａは、送信信号をカプラに対して出力する。スイッチＳＷ１Ａは、切替制御部４０４Ａからの制御信号Ｓ１に従って、カプラとＲＦ回路２０４Ａとを接続する。カプラは、送信信号をメインアンテナ５１Ａ側に送り、その送信信号に比例した信号をＲＦ回路２０４Ａ側にも分配する。検出部４０６Ａは、ＲＦ回路２０４Ａに入力される信号Ｋ０のレベルＬ０を検出する。具体的には、レベルＬ０は、メイン送受信回路２０６Ａからの送信信号が、ＲＦ回路２０４Ａに直接（メインアンテナ５１Ａおよびサブアンテナ５２Ａを経由することなく）入力される場合のレベルである。
【００３６】
同様に、検出部４０６Ｂは、メイン送受信回路２０６Ｂからの送信信号が、カプラを介してＲＦ回路２０４Ｂに直接（メインアンテナ５１Ｂおよびサブアンテナ５２Ｂを経由することなく）入力される場合のレベルＬ０＃を検出する。
【００３７】
別の局面では、サブアンテナ５２Ａは、メイン送受信回路２０６Ａがメインアンテナ５１Ａを介して送信した信号Ｋ１を受信する。スイッチＳＷ１Ａ，ＳＷ２Ａは、切替制御部４０４Ａからの制御信号Ｓ１，Ｓ２に従って、サブアンテナ５２ＡとＲＦ回路２０４Ａとを接続する（すなわち、スイッチＳＷ１Ａ，ＳＷ２Ａを経路Ｍ２側に切り替える）。検出部４０６Ａは、サブアンテナ５２ＡからＲＦ回路２０４Ａに入力される信号Ｋ１のレベルＬ１を検出する。具体的には、レベルＬ１は、メイン送受信回路２０６Ａからの送信信号が、メインアンテナ５１Ａおよびサブアンテナ５２Ａを経由してＲＦ回路２０４Ａに入力される場合のレベルである。
【００３８】
別の局面では、サブアンテナ５２Ｂは、メイン送受信回路２０６Ａがメインアンテナ５１Ａを介して送信した信号Ｋ１を受信する。スイッチＳＷ１Ｂ，ＳＷ２Ｂは、切替制御部４０４Ｂからの制御信号Ｓ１，Ｓ２に従って、サブアンテナ５２ＢとＲＦ回路２０４Ｂとを接続する（すなわち、スイッチＳＷ１Ｂ，ＳＷ２Ｂを経路Ｍ２側に切り替える）。検出部４０６Ｂは、サブアンテナ５２ＢからＲＦ回路２０４Ｂに入力される信号Ｋ１のレベルＬ２を検出する。具体的には、レベルＬ２は、メイン送受信回路２０６Ａからの送信信号が、メインアンテナ５１Ａおよびサブアンテナ５２Ｂを経由してＲＦ回路２０４Ｂに入力される場合のレベルである。
【００３９】
さらに別の局面では、サブアンテナ５２Ａは、メイン送受信回路２０６Ｂがメインアンテナ５１Ｂを介して送信した信号Ｋ２を受信する。スイッチＳＷ１Ａ，ＳＷ２Ａは、切替制御部４０４Ａからの制御信号Ｓ１，Ｓ２に従って、サブアンテナ５２ＡとＲＦ回路２０４Ａとを接続する。検出部４０６Ａは、サブアンテナ５２ＡからＲＦ回路２０４Ａに入力される信号Ｋ２のレベルＬ３を検出する。具体的には、レベルＬ３は、メイン送受信回路２０６Ｂからの送信信号が、メインアンテナ５１Ｂおよびサブアンテナ５２Ａを経由してＲＦ回路２０４Ａに入力される場合のレベルである。
【００４０】
レベル出力部４０８Ａは、検出部４０６Ａの検出結果を出力する。具体的には、レベル出力部４０８Ａは、検出部４０６Ａにより検出されたレベルＬ０，Ｌ１，Ｌ３を情報処理装置２０に出力する。レベル出力部４０８Ｂは、検出部４０６Ｂにより検出されたレベルＬ０＃，Ｌ２を情報処理装置２０に出力する。
【００４１】
（情報処理装置）
情報処理装置２０は、指示部５０２と、レベル入力部５０４と、異常判定部５０６と、報知部５０８とを含む。これらの機能は、主に、情報処理装置２０のＣＰＵがメモリに格納されたプログラムを実行することなどによって実現される。なお、これらの構成の一部または全部はハードウェアで実現されていてもよい。
【００４２】
指示部５０２は、端末１０Ａ（ＣＰＵ１５２Ａ）および端末１０Ｂ（ＣＰＵ１５２Ｂ）に各種の指示を与える。具体的には、指示部５０２は、メイン送受信回路２０６Ａ，２０６Ｂおよびサブ受信回路２０８Ａ，２０８Ｂの起動（または停止）指示、スイッチＳＷ１Ａ，ＳＷ１Ｂ，ＳＷ２Ａ，ＳＷ２Ｂの切替指示などを与える。
【００４３】
レベル入力部５０４は、端末１０Ａから出力されたレベルＬ０，Ｌ１，Ｌ３の入力を受け付け、端末１０Ｂから出力されたレベルＬ０＃，Ｌ２の入力を受け付ける。レベル入力部５０４は、端末１０Ａおよび端末１０Ｂから取得した各種レベルを格納する。
【００４４】
異常判定部５０６は、端末１０Ａおよび端末１０Ｂから出力される各種レベルに基づいて、メインアンテナ５１Ａおよびサブアンテナ５２Ａの異常の有無を判定する。具体的には、異常判定部５０６は、レベルＬ０からレベルＬ１を減算したレベルＬＡ（Ｌ０−Ｌ１）と、レベルＬ０からレベルＬ２を減算したレベルＬＢ（Ｌ０−Ｌ２）と、レベルＬ０＃からレベルＬ３を減算したレベルＬＣ（Ｌ０＃−Ｌ３）と、予め定められた基準レベルＬＡＴ，ＬＢＴ，ＬＣＴとに基づいて、メインアンテナ５１Ａおよびサブアンテナ５２Ａの異常判定を行なう。
【００４５】
ここで、基準レベルＬＡＴ，ＬＢＴ，ＬＣＴの設定方法について説明する。たとえば、これらの基準レベルは、正常な複数の端末の各々について、当該端末と端末１０Ｂとを情報処理装置２０に接続した場合に、これらの端末から情報処理装置２０に入力される各種レベルに基づいて設定される。ここでは、説明の容易化のため、たとえば、５つの正常な端末Ａ１〜Ａ５を用意した場合を考える。ただし、個数は５つに限られず、これ以外の複数の個数であってもよい。
【００４６】
正常な端末Ａ１および端末１０Ｂが情報処理装置２０に接続される。情報処理装置２０（レベル入力部５０４）は、端末Ａ１からレベルＬ０，Ｌ１，Ｌ３を取得し、端末１０ＢからレベルＬ０＃，Ｌ２を取得する。情報処理装置２０は、取得した各レベルに基づいてレベルＬＡ，ＬＢ，ＬＣを算出する。同様に、情報処理装置２０は、端末Ａ２〜端末Ａ５の各々と端末１０Ｂとが接続された場合について、レベルＬＡ〜ＬＣを算出する。
【００４７】
情報処理装置２０（ＣＰＵ３０２）は、算出された５つのレベルＬＡの平均値ＬＡｍと標準偏差σａとを算出する。同様に、情報処理装置２０（ＣＰＵ３０２）は、５つのレベルＬＢの平均値ＬＢｍおよび標準偏差σｂを算出し、５つのレベルＬＣの平均値ＬＣｍおよび標準偏差σｃを算出する。
【００４８】
そして、情報処理装置２０は、平均値ＬＡｍから標準偏差σａの所定倍数α（たとえば、α＝４〜６）を減算した値を、基準レベルＬＡＴ（ＬＡｍ−α＊σａ）に設定する。同様に、情報処理装置２０は、平均値ＬＢｍから標準偏差σｂの所定倍数αを減算した値を、基準レベルＬＢＴ（ＬＢｍ−α＊σｂ）に設定する。情報処理装置２０は、平均値ＬＣｍから標準偏差σｃの所定倍数αを減算した値を、基準レベルＬＣＴ（ＬＣｍ−α＊σｃ）に設定する。なお、基準レベルＬＡＴ〜ＬＣＴは、それぞれレベルＬＡ〜ＬＣの正規分布における最低値よりも低い値を想定したものである。なお、基準レベルＬＡＴ〜ＬＣＴは、メモリ３０４に格納されているものとする。
【００４９】
異常判定部５０６は、レベルＬＡと基準レベルＬＡＴとに基づいて、メインアンテナ５１Ａおよびサブアンテナ５２Ａの少なくとも一方に異常があるか否かを判定する。具体的には、異常判定部５０６は、レベルＬＡが基準レベルＬＡＴ以上である場合には、メインアンテナ５１Ａおよびサブアンテナ５２Ａが正常（異常がない）と判定する。なぜなら、レベルＬＡが基準レベルＬＡＴ以上ということは、メイン送受信回路２０６Ａから出力された送信信号が、端末１０Ａのメインアンテナ５１Ａおよびサブアンテナ５２Ａを経由した場合であっても、正常な信号レベル以上であることを意味するためである。なお、異常判定部５０６は、レベルＬＡが基準レベルＬＡＴ未満である場合には、メインアンテナ５１Ａおよびサブアンテナ５２Ａの少なくとも一方が異常であると判定できる。
【００５０】
また、異常判定部５０６は、レベルＬＡが基準レベルＬＡＴ未満である（すなわち、メインアンテナ５１Ａおよびサブアンテナ５２Ａの少なくとも一方が異常である）場合であって、かつレベルＬＢが基準レベルＬＢＴ以上である場合には、メインアンテナ５１Ａが正常であり、サブアンテナ５２Ａが異常であると判定する。なぜなら、レベルＬＢが基準レベルＬＢＴ以上ということは、メイン送受信回路２０６Ａから出力された送信信号が、メインアンテナ５１Ａと、正常なサブアンテナ５２Ｂとを経由した場合であっても、正常な信号レベル以上であることを意味する。そのため、メインアンテナ５１Ａが正常であり、サブアンテナ５２Ａが異常ということになる。
【００５１】
また、異常判定部５０６は、レベルＬＡが基準レベルＬＡＴ未満である場合であって、かつレベルＬＣが基準レベルＬＣＴ以上である場合には、メインアンテナ５１Ａが異常であり、サブアンテナ５２Ａが正常であると判定する。なぜなら、レベルＬＣが基準レベルＬＣＴ以上ということは、メイン送受信回路２０６Ｂから出力された送信信号が、正常なメインアンテナ５１Ｂと、サブアンテナ５２Ａとを経由した場合であっても、正常な信号レベル以上であることを意味する。そのため、メインアンテナ５１Ａが異常であり、サブアンテナ５２Ａが正常ということになる。
【００５２】
さらに、上記から、異常判定部５０６は、レベルＬＡが基準レベルＬＡＴ未満であり、かつレベルＬＢが基準レベルＬＢＴ未満であり、かつレベルＬＣが基準レベルＬＣＴ未満である場合には、メインアンテナ５１Ａおよびサブアンテナ５２Ａが異常であると判定することができる。
【００５３】
報知部５０８は、異常判定部５０６の判定結果を報知する。具体的には、報知部５０８は、メインアンテナ５１Ａの異常の有無、およびサブアンテナ５２Ａの異常の有無をユーザに報知する。典型的には、報知部５０８は、これらの異常の有無をディスプレイ３０８に表示させる。または、報知部５０８は、これらの異常の有無を示す音声をスピーカ（図示しない）から出力させてもよい。
【００５４】
＜処理手順＞
図６および図７は、実施の形態１に従う情報処理装置２０において行われる処理の流れを説明するためのフローチャートである。ここでは、情報処理装置２０は、ケーブル６１，６２を介して、端末１０Ａおよび端末１０Ｂに接続されているものとする。
【００５５】
図６を参照して、ＣＰＵ３０２は、検査対象の端末１０Ａのメイン送受信回路２０６Ａの送信機能とサブ受信回路２０８Ａの受信機能とを起動するように端末１０Ａに指示する（ステップＳ１０）。ＣＰＵ３０２は、端末１０Ａのカプラ２１０とＲＦ回路２０４Ａとを接続するように当該端末１０Ａに指示する（ステップＳ１２）。すなわち、ＣＰＵ３０２は、スイッチＳＷ１を経路Ｍ１側に切り替えるように端末１０Ａに指示する。ＣＰＵ３０２は、ＲＦ回路２０４Ａに入力される信号のレベルＬ０を端末１０Ａから受信して、メモリ３０４に格納する（ステップＳ１４）。
【００５６】
次に、ＣＰＵ３０２は、ＲＦ回路２０４Ａとサブアンテナ５２Ａとを接続するように端末１０Ａに指示する（ステップＳ１６）。すなわち、ＣＰＵ３０２は、スイッチＳＷ１，ＳＷ２を、経路Ｍ２側に切り替えるように端末１０Ａに指示する。ＣＰＵ３０２は、ＲＦ回路２０４Ａに入力される信号のレベルＬ１を端末１０Ａから受信して、メモリ３０４に格納する（ステップＳ１８）。ＣＰＵ３０２は、レベルＬ０からレベルＬ１を減算してレベルＬＡを算出する（ステップＳ２０）。
【００５７】
次に、ＣＰＵ３０２は、正常な端末１０Ｂのサブ受信回路２０８Ｂの受信機能を起動するように当該端末１０Ｂに指示する（ステップＳ２２）。ＣＰＵ３０２は、ＲＦ回路２０４Ｂとサブアンテナ５２Ｂとを接続するように端末１０Ｂに指示する（ステップＳ２４）。すなわち、ＣＰＵ３０２は、スイッチＳＷ１，ＳＷ２を経路Ｍ２側に切り替えるように端末１０Ｂに指示する。ＣＰＵ３０２は、ＲＦ回路２０４Ｂに入力される信号のレベルＬ２を端末１０Ｂから受信して、メモリ３０４に格納する（ステップＳ２６）。ＣＰＵ３０２は、レベルＬ０からレベルＬ２を減算してレベルＬＢを算出する（ステップＳ２８）。
【００５８】
次に、ＣＰＵ３０２は、端末１０Ａのメイン送受信回路２０６Ａの送信機能を停止するように当該端末１０Ａに指示する（ステップＳ３０）。ＣＰＵ３０２は、端末１０Ｂのカプラ２１０とＲＦ回路２０４Ｂとを接続するように当該端末１０Ｂに指示する（ステップＳ３２）。すなわち、ＣＰＵ３０２は、スイッチＳＷ１を経路Ｍ１側に切り替えるように端末１０Ｂに指示する。ＣＰＵ３０２は、ＲＦ回路２０４Ｂに入力される信号のレベルＬ０＃を端末１０Ｂから受信して、メモリ３０４に格納する（ステップＳ３４）。また、この場合、ＣＰＵ３０２は、ＲＦ回路２０４Ａに入力される信号のレベルＬ３を端末１０Ａから受信して、メモリ３０４に格納する（ステップＳ３６）。ＣＰＵ３０２は、レベルＬ０＃からレベルＬ３を減算してレベルＬＣを算出する（ステップＳ３８）。
【００５９】
次に、ＣＰＵ３０２は、端末１０Ａのサブ受信回路２０８Ａの受信機能を停止するように当該端末１０Ａに指示する（ステップＳ４０）。ＣＰＵ３０２は、端末１０Ｂのメイン送受信回路２０６Ｂの通信機能とサブ受信回路２０８Ｂの受信機能を停止するように当該端末１０Ｂに指示する（ステップＳ４２）。
【００６０】
図７を参照して、ＣＰＵ３０２は、レベルＬＡが基準レベルＬＡＴ未満か否かを判断する（ステップＳ５０）。レベルＬＡが基準レベルＬＡＴ以上である場合には（ステップＳ５０においてＮＯ）、ＣＰＵ３０２は、メインアンテナ５１Ａおよびサブアンテナ５２Ａの両方が正常である旨を報知して（ステップＳ５２）、処理を終了する。一方、レベルＬＡが基準レベルＬＡＴ未満である場合には（ステップＳ５０においてＹＥＳ）、ＣＰＵ３０２は、レベルＬＢが基準レベルＬＢＴ未満か否かを判断する（ステップＳ５４）。
【００６１】
レベルＬＢが基準レベルＬＢＴ以上である場合には（ステップＳ５４においてＮＯ）、ＣＰＵ３０２は、メインアンテナ５１Ａが正常であり、サブアンテナ５２Ａが異常である旨を報知して（ステップＳ５６）、処理を終了する。一方、レベルＬＢが基準レベルＬＢＴ未満である場合には（ステップＳ５４においてＹＥＳ）、ＣＰＵ３０２は、レベルＬＣが基準レベルＬＣＴ未満か否かを判断する（ステップＳ５８）。
【００６２】
レベルＬＣが基準レベルＬＣＴ以上である場合には（ステップＳ５８においてＮＯ）、ＣＰＵ３０２は、メインアンテナ５１Ａが異常であり、サブアンテナ５２Ａが正常である旨を報知して（ステップＳ６０）、処理を終了する。一方、レベルＬＣが基準レベルＬＣＴ未満である場合には（ステップＳ５８においてＹＥＳ）、ＣＰＵ３０２は、メインアンテナ５１Ａおよびサブアンテナ５２Ａの両方が異常である旨を報知して（ステップＳ６２）、処理を終了する。
【００６３】
［実施の形態２］
上述の実施の形態１では、検査対象の端末１０Ａのサブアンテナ５２Ａが、正常な端末１０Ｂのメイン送受信回路２０６Ｂがメインアンテナ５１Ｂを介して送信した信号（Ｋ２）を受信して、レベルＬ３が検出される構成について説明した。実施の形態２では、正常な端末のメイン送受信回路から信号を送信せずに、検査対象の端末のメインアンテナおよびサブアンテナの異常の有無を判定する構成について説明する。
【００６４】
図８は、実施の形態２に従う検査システムの全体構成を示す図である。図８を参照して、検査システム１１００は、端末１１Ａ，１１Ｂと、情報処理装置２０とを含む。検査システム１１００は、図１の検査システム１０００と比較して、端末１０Ａ，１０Ｂをそれぞれ端末１１Ａ，１１Ｂに置換した点が異なる。端末１１Ａ，１１Ｂは、それぞれ端末１０Ａ，１０Ｂと比較して、無線通信部１６１にスイッチＳＷ３（図９参照）をさらに設けた点で異なり、それ以外の構成は同じである。
【００６５】
検査システム１１００では、メインアンテナ５１Ａからの送信信号をサブアンテナ５２Ａで受信した場合、メインアンテナ５１Ａからの送信信号をサブアンテナ５２Ｂで受信した場合、およびサブアンテナ５２Ａからの送信信号をサブアンテナ５２Ｂで受信した場合の各々について、受信信号の信号レベルが検出される。この信号レベルを評価することにより、検査対象の端末１１Ａのメインアンテナ５１Ａおよびサブアンテナ５２Ａの異常を判定することができる。
【００６６】
図９は、実施の形態２に従う無線通信部１６１の詳細な構成を示す図である。図９を参照して、無線通信部１６１は、図３の無線通信部１６０と比較して、スイッチＳＷ３をさらに設けた点で異なり、それ以外の構成は同じである。
【００６７】
スイッチＳＷ３は、ＣＰＵ１５２からの制御信号Ｓ３に従って、カプラ２１０（メイン送受信回路２０６）と接続端子２１２（メインアンテナ５１）との間を接続し、かつスイッチＳＷ２と接続端子２１４（サブアンテナ５２）との間を接続する（接続パターンＰ１）。または、スイッチＳＷ３は、制御信号Ｓ３に従って、カプラ２１０（メイン送受信回路２０６）と接続端子２１４（サブアンテナ５２）との間を接続し、かつスイッチＳＷ２と接続端子２１２（メインアンテナ５１）との間を接続する（接続パターンＰ２）。すなわち、スイッチＳＷ３は、制御信号Ｓ３に従って、接続パターンＰ１と接続パターンＰ２とを切り替える。スイッチＳＷ３により、検査対象の端末１１Ａのサブアンテナ５２Ａからの送信信号を、正常な端末１１Ｂのサブアンテナ５２Ｂで受信することが可能となる。
【００６８】
＜処理手順＞
図１０，図１１は、実施の形態２に従う情報処理装置２０において行われる処理の流れを説明するためのフローチャートである。ここでは、情報処理装置２０は、ケーブル６１，６２を介して、検査対象の端末１１Ａおよび正常な端末１１Ｂに接続されているものとする。
【００６９】
図１０を参照して、ＣＰＵ３０２は、検査対象の端末１１Ａのメイン送受信回路２０６Ａの送信機能とサブ受信回路２０８Ａの受信機能とを起動するように端末１１Ａに指示する（ステップＳ１０２）。ＣＰＵ３０２は、端末１１Ａのカプラ２１０とＲＦ回路２０４とを接続するように当該端末１１Ａに指示する（ステップＳ１０４）。次に、ＣＰＵ３０２は、端末１１ＡのＲＦ回路２０４に入力される信号のレベルＬ０を端末１１Ａから受信して、メモリ３０４に格納する（ステップＳ１０６）。次に、ＣＰＵ３０２は、接続パターンＰ１で接続するように端末１１Ａに指示する（ステップＳ１０８）。ステップＳ１０８の処理により、端末１１Ａにおいて、カプラ２１０（メイン送受信回路２０６）とメインアンテナ５１Ａとが接続され、サブ受信回路２０８とサブアンテナ５２Ａとが接続される。
【００７０】
次に、ＣＰＵ３０２は、端末１１ＡのＲＦ回路２０４とサブアンテナ５２Ａとを接続するように端末１１Ａに指示する（ステップＳ１１０）。ＣＰＵ３０２は、端末１１ＡのＲＦ回路２０４に入力される信号のレベルＬ１を端末１１Ａから受信して、メモリ３０４に格納する（ステップＳ１１２）。ＣＰＵ３０２は、レベルＬ０からレベルＬ１を減算してレベルＬＡを算出する（ステップＳ１１４）。
【００７１】
次に、ＣＰＵ３０２は、正常な端末１１Ｂのサブ受信回路２０８の受信機能を起動するように当該端末１１Ｂに指示する（ステップＳ１１６）。ＣＰＵ３０２は、端末１１ＢのＲＦ回路２０４とサブアンテナ５２Ｂとを接続するように端末１１Ｂに指示する（ステップＳ１１８）。ＣＰＵ３０２は、端末１１ＢのＲＦ回路２０４に入力される信号のレベルＬ２を端末１１Ｂから受信して、メモリ３０４に格納する（ステップＳ１２０）。ＣＰＵ３０２は、レベルＬ０からレベルＬ２を減算してレベルＬＢを算出する（ステップＳ１２２）。
【００７２】
次に、ＣＰＵ３０２は、接続パターンＰ２で接続するように端末１１Ａに指示する（ステップＳ１２４）。ステップＳ１２４の処理により、端末１１Ａにおいて、カプラ２１０（メイン送受信回路２０６）とサブアンテナ５２Ａとが接続され、サブ受信回路２０８とメインアンテナ５１Ａとが接続される。ＣＰＵ３０２は、端末１１ＢのＲＦ回路２０４に入力される信号のレベルＬ３＃を端末１１Ｂから受信して、メモリ３０４に格納する（ステップＳ１２６）。具体的には、レベルＬ３＃は、メイン送受信回路２０６Ａからの送信信号が、サブアンテナ５２Ａおよびサブアンテナ５２Ｂを経由して端末１１ＢのＲＦ回路２０４に入力される場合のレベルである。ＣＰＵ３０２は、レベルＬ０からレベルＬ３＃を減算してレベルＬＣ＃（Ｌ０−Ｌ３＃）を算出する（ステップＳ１２８）。
【００７３】
次に、ＣＰＵ３０２は、端末１１Ａのメイン送受信回路２０６の通信機能とサブ受信回路２０８の受信機能を停止するように当該端末１１Ａに指示する（ステップＳ１３０）。ＣＰＵ３０２は、端末１１Ｂのサブ受信回路２０８の受信機能を停止するように当該端末１１Ｂに指示する（ステップＳ１３２）。
【００７４】
図１１を参照して、ステップＳ１５０〜Ｓ１５６の処理は、図７中のステップＳ５０〜Ｓ５６の処理と同じであるため、その詳細な説明は繰り返さない。ＣＰＵ３０２は、レベルＬＣ＃が基準レベルＬＣＴ＃未満か否かを判断する（ステップＳ１５８）。ここで、基準レベルＬＣＴ＃の設定方法は、上述した基準レベルの設定方法と同様である。すなわち、基準レベルＬＣＴ＃は、複数のレベルＬＣ＃の平均値ＬＣｍ＃および標準偏差σｃ＃に基づいて定められる。具体的には、情報処理装置２０は、平均値ＬＣｍ＃から標準偏差σｃ＃の所定倍数αを減算した値を、基準レベルＬＣＴ＃（ＬＣｍ＃−α＊σｃ＃）に設定する。
【００７５】
レベルＬＣ＃が基準レベルＬＣＴ＃以上である場合には（ステップＳ１５８においてＮＯ）、ＣＰＵ３０２は、メインアンテナ５１Ａが異常であり、サブアンテナ５２Ａが正常である旨を報知して（ステップＳ１６０）、処理を終了する。なぜなら、レベルＬＣ＃が基準レベルＬＣＴ＃以上ということは、端末１１Ａのメイン送受信回路２０６から出力された送信信号が、端末１１Ａのサブアンテナ５２Ａと端末１１Ｂの正常なサブアンテナ５２Ｂとを経由した場合であっても、正常な信号レベル以上であることを意味する。そのため、メインアンテナ５１Ａが異常であり、サブアンテナ５２Ａが正常ということになる。
【００７６】
一方、レベルＬＣ＃が基準レベルＬＣＴ＃未満である場合には（ステップＳ１５８においてＹＥＳ）、ＣＰＵ３０２は、メインアンテナ５１Ａおよびサブアンテナ５２Ａの両方が異常である旨を報知して（ステップＳ１６２）、処理を終了する。
【００７７】
＜実施の形態の効果＞
本実施の形態によると、高価な通信測定機器およびＸ線装置などを使用しなくても、メインアンテナおよびサブアンテナの異常の確認ができるため、コストを削減することができる。また、メインアンテナやサブアンテナ自体だけでなく、これらの接続端子との接触不具合などを検出することもできる。また、メインアンテナとサブアンテナ間のアイソレーションの確認、メインアンテナの接続端子およびカプラ間、サブアンテナの接続端子およびスイッチＳＷ２間に適用される可能性がある同軸ケーブルの接触不具合などを検出することもできる。また、通信測定機器が必要ないため、フィールドテストのような環境においても、シールドボックスを用いることで、アンテナの異常を検出することができる。
【００７８】
［その他の実施の形態］
上述した実施の形態では、レベルＬ０からレベルＬ１，Ｌ２，Ｌ３をそれぞれ減算したレベルＬＡ，ＬＢ，ＬＣを用いてアンテナの異常判定を行なう構成について説明したが、レベルＬ１，Ｌ２，Ｌ３をそのまま用いる構成であってもよい。この場合、基準レベルＬＡＴ，ＬＢＴ，ＬＣＴの代わりに、基準レベルＬ１Ｔ，Ｌ２Ｔ，Ｌ３Ｔが用いられる。なお、基準レベルＬ１Ｔは、複数のＬ１の平均値Ｌ１ｍから標準偏差σ１の所定倍数αを減算した値（Ｌ１ｍ−α＊σ１）であり、基準レベルＬ２Ｔは、複数のＬ２の平均値Ｌ２ｍから標準偏差σ２の所定倍数αを減算した値（Ｌ２ｍ−α＊σ２）であり、基準レベルＬ３Ｔは、複数のＬ３の平均値Ｌ３ｍから標準偏差σ３の所定倍数αを減算した値（Ｌ３ｍ−α＊σ３）である。
【００７９】
また、上述した情報処理装置２０の機能を端末１０が有する構成であってもよい。具体的には、端末１０は、図５中の指示部５０２、レベル入力部５０４、異常判定部５０６および報知部５０８の機能を有していてもよい。典型的には、端末１０Ａは、図６，図７，図１０，図１１の各ステップに相当する処理を実行する。たとえば、端末１０Ａの指示部５０２により、端末１０Ｂに上記の指示が与えられる。端末１０Ａは、自装置で取得されるＬ０，Ｌ１，Ｌ３と、端末１０Ｂから受信するＬ０＃，Ｌ２とに基づいて、メインアンテナ５１Ａおよびサブアンテナ５２Ａの異常判定を行ない、当該判定結果を報知する。
【００８０】
なお、コンピュータを機能させて、上述のフローチャートで説明したような制御を実行させるプログラムを提供することもできる。プログラムは、コンピュータのオペレーティングシステム（ＯＳ）の一部として提供されるプログラムモジュールのうち、必要なモジュールを所定の配列で所定のタイミングで呼出して処理を実行させるものでもよい。
【００８１】
上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、変形例で説明した処理や構成を適宜組み合わせて実施する場合であってもよい。
【００８２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８３】
１０Ａ，１０Ｂ，１１Ａ，１１Ｂ  携帯端末装置、２０  情報処理装置、５１  メインアンテナ、５２  サブアンテナ、６１，６２  ケーブル、１６０，１６１  無線通信部、２０２  ベースバンド回路、２０４  ＲＦ回路、２０６  メイン送受信回路、２０８  サブ受信回路、２１０  カプラ、２１２，２１４  接続端子、４０２Ａ，４０２Ｂ  通信制御部、４０４Ａ，４０４Ｂ  切替制御部、４０６Ａ，４０６Ｂ  検出部、４０８Ａ，４０８Ｂ  レベル出力部、５０２  指示部、５０４  レベル入力部、５０６  異常判定部、５０８  報知部、１０００，１１００  検査システム。
【図１】
0006494396.tif 000002
【図２】
0006494396.tif 000003
【図３】
0006494396.tif 000004
【図４】
0006494396.tif 000005
【図５】
0006494396.tif 000006
【図６】
0006494396.tif 000007
【図７】
0006494396.tif 000008
【図８】
0006494396.tif 000009
【図９】
0006494396.tif 000010
【図１０】
0006494396.tif 000011
【図１１】
0006494396.tif 000012